(57)【要約】【課題】印刷しようとする画像情報等を、製造コストを上げることなく、印刷する前に確認すること。【解決手段】表示部を有する撮像装置（ディジタルカメラ９０）との間で情報を授受することが可能な印刷装置（プリンタ２２）において、撮像装置９０の表示部に対して情報を供給して表示させる表示手段（制御回路４０）を有している。印刷装置としては、操作部１３６に表示部がないものや表示部があったとしても画素数が少ないものや白黒表示のみを行うものに適用すると、より効果的となる。【選択図】        図１
2005052994.tif 000002
【特許請求の範囲】
【請求項１】
表示部を有する撮像装置との間で情報を授受することが可能な印刷装置において、
上記撮像装置の上記表示部に対して情報を供給して表示させる表示手段を有することを特徴とする印刷装置。
【請求項２】
前記情報は、印刷しようとする画像情報であり、前記撮像装置の前記表示部に上記画像情報を表示することにより、印刷する前にプレビューすることが可能であることを特徴とする請求項１記載の印刷装置。
【請求項３】
前記画像情報を補正する補正手段をさらに有し、
前記表示手段は、前記補正手段によって補正された画像情報を、前記撮像装置の前記表示部に対して表示させることを特徴とする請求項１記載の印刷装置。
【請求項４】
前記情報は、前記印刷装置の環境設定を行うための設定情報であることを特徴とする請求項１記載の印刷装置。
【請求項５】
ユーザの操作に応じた情報を入力するための入力手段と、
前記表示部に表示された情報を参照しながら、上記入力手段を介して所定の情報が入力された場合には、対応する処理を実行する処理手段と、をさらに有することを特徴とする請求項１記載の印刷装置。
【請求項６】
前記撮像装置を前記印刷装置上に載置するための載置部をさらに有することを特徴とする請求項１記載の印刷装置。
【請求項７】
前記表示手段は、前記載置部に前記撮像装置が載置された場合には、前記表示部に対して情報を提供して表示させることを特徴とする請求項６記載の印刷装置。
【請求項８】
前記載置部は、前記撮像装置との間で情報を無線または有線で通信するための通信手段をさらに有することを特徴とする請求項６記載の印刷装置。
【請求項９】
表示部を有する撮像装置との間で情報を授受することが可能な印刷装置の印刷方法において、
上記撮像装置の上記表示部に対して情報を供給して表示させる表示ステップを有することを特徴とする印刷方法。
【請求項１０】
表示部を有する撮像装置との間で情報を授受することが可能な印刷装置において実行されるコンピュータ読み取り可能な印刷用プログラムにおいて、
コンピュータを、
上記撮像装置の上記表示部に対して情報を供給して表示させる表示手段として機能させることを特徴とするコンピュータ読み取り可能な印刷用プログラム。
【請求項１１】
印刷装置との間で情報を授受することが可能な撮像装置において、
上記印刷装置から供給された情報を表示する表示部を有することを特徴とする撮像装置。
【発明の詳細な説明】
【０００１】
【発明の属する技術分野】
本発明は、印刷装置、印刷方法、印刷用プログラム、および撮像装置に関する。
【０００２】
【従来の技術】
近年、ディジタルカメラによって画像が記録された記録媒体を印刷装置の本体に装着したり、またはディジタルカメラを接続ケーブル等により印刷装置の本体に直接接続したりすることにより、パーソナルコンピュータを使用することなく、画像の印刷が可能となる、いわゆるスタンドアローン型の印刷装置が、種々提案されている（特許文献１参照）。
【０００３】
【特許文献１】
特開２００２−２７３９６９号公報（請求の範囲、要約）
【０００４】
【発明が解決しようとする課題】
ところで、このようなスタンドアローン型の印刷装置では、コンピュータを接続しないため、印刷しようとする画像を事前に確認することが困難であるという問題点がある。すなわち、コンピュータに接続した場合、コンピュータの表示部により印刷しようとする画像を確認できるが、コンピュータが接続されていない場合には、印刷したい画像の確認が困難となる。
【０００５】
そこで、このような問題点を解決するために、例えば、ＬＣＤ（Ｌｉｑｕｉｄ  Ｃｒｙｓｔａｌ  Ｄｉｓｐｌａｙ）を印刷装置の本体に設けて、印刷しようとする画像をＬＣＤに表示させることが可能な印刷装置も提案されている。しかし、ＬＣＤを印刷装置に新たに設けようとすると、製造コストが高くついてしまうという問題点がある。
【０００６】
本発明は、上記の事情に基づきなされたもので、その目的とするところは、印刷しようとする画像情報等を、製造コストを上げることなく、印刷する前に確認することが可能な印刷装置、印刷方法、印刷用プログラム、および撮影装置を提供することを目的とする。
【０００７】
【課題を解決するための手段】
本発明は、課題を解決するために、表示部を有する撮像装置との間で情報を授受することが可能な印刷装置において、撮像装置の表示部に対して情報を供給して表示させる表示手段を有している。
【０００８】
このため、印刷しようとする画像情報等を、製造コストを上げることなく、印刷する前に確認することが可能となる。
【０００９】
また、他の発明は、上述の発明に加えて、情報は、印刷しようとする画像情報であり、撮像装置の表示部に画像情報を表示することにより、印刷する前にプレビューすることが可能としている。このため、撮像装置の表示部を利用して、印刷前の画像情報を確認することができる。
【００１０】
また、他の発明は、上述の発明に加えて、画像情報を補正する補正手段をさらに有し、表示手段は、補正手段によって補正された画像情報を、撮像装置の表示部に対して表示させるようにしている。このため、表示手段を参照しながら画像情報を補正し、品質の高い画像を得ることができる。
【００１１】
また、他の発明は、上述の発明に加えて、情報は、印刷装置の環境設定を行うための設定情報としている。このため、撮像装置の表示部を利用して、環境設定を簡易かつ迅速に行うことができる。
【００１２】
また、他の発明は、上述の発明に加えて、ユーザの操作に応じた情報を入力するための入力手段と、表示部に表示された情報を参照しながら、入力手段を介して所定の情報が入力された場合には、対応する処理を実行する処理手段と、をさらに有するようにしている。このため、撮像装置の表示部を参照しながら種々の処理を実行することが可能になる。
【００１３】
また、他の発明は、上述の発明に加えて、撮像装置を印刷装置上に載置するための載置部をさらに有するようにしている。このため、撮像装置を印刷装置上に載置して固定することにより、表示部に表示された情報を一層見やすくすることができる。
【００１４】
また、他の発明は、上述の発明に加えて、表示手段は、載置部に撮像装置が載置された場合には、表示部に対して情報を提供して表示させるようにしている。
このため、撮像装置を載置部に載せただけで、表示部に情報が表示されるようになるので、入力の切り換え操作等の煩雑な操作が不要になる。
【００１５】
また、他の発明は、上述の発明に加えて、載置部は、撮像装置との間で情報を無線または有線で通信するための通信手段をさらに有するようにしている。このため、載置部に撮像装置を載置しただけで、撮像装置と印刷装置との間で情報の授受が可能になる。
【００１６】
また、本発明は、表示部を有する撮像装置との間で情報を授受することが可能な印刷装置の印刷方法において、撮像装置の表示部に対して情報を供給して表示させる表示ステップを有するようにしている。
【００１７】
このため、この印刷方法によれば、印刷しようとする画像情報等を、製造コストを上げることなく、印刷する前に確認することが可能となる。
【００１８】
また、本発明は、表示部を有する撮像装置との間で情報を授受することが可能な印刷装置において実行されるコンピュータ読み取り可能な印刷用プログラムにおいて、コンピュータを、撮像装置の表示部に対して情報を供給して表示させる表示手段として機能させるようにしている。
【００１９】
このため、このプログラムをインストールすれば、印刷しようとする画像情報等を、製造コストを上げることなく、印刷する前に確認することが可能となる。
【００２０】
また、本発明は、印刷装置との間で情報を授受することが可能な撮像装置において、印刷装置から供給された情報を表示する表示部を有するようにしている。
【００２１】
このため、この撮像装置を利用すれば、印刷しようとする画像情報等を、製造コストを上げることなく、印刷する前に確認することが可能となる。
【００２２】
【発明の実施の形態】
以下、本発明の一実施の形態について、図面を参照して説明する。
【００２３】
まず、本発明の実施の形態に係る印刷装置の概要について、図１および図２を参照しつつ説明する。なお、本明細書中において、「画像」とは、例えば、ディジタルカメラ等によって撮像された自然画のみならず、線画およびテキスト等も含むものとする。
【００２４】
図１は、印刷装置を構成するプリンタ２２の概略構成図であり、図２は、制御回路４０を中心としたプリンタ２２の主要部の構成例を示すブロック図である。
【００２５】
図１に示すように、プリンタ２２は、紙送りモータ２３によって印刷用紙Ｐを搬送する副走査送り機構と、キャリッジモータ２４によってキャリッジ３１を紙送りローラ２６の軸方向に往復動させる主走査送り機構とを有している。ここで、副走査送り機構による印刷用紙Ｐの送り方向を副走査方向といい、主走査送り機構によるキャリッジ３１の移動方向を主走査方向という。
【００２６】
また、プリンタ２２は、キャリッジ３１に搭載され、印刷ヘッド１２を備えた印刷ヘッドユニット６０と、この印刷ヘッドユニット６０を駆動してインクの吐出およびドット形成を制御するヘッド駆動機構と、これらの紙送りモータ２３、キャリッジモータ２４、印刷ヘッドユニット６０および操作部１３６との信号のやり取りを司る制御回路４０とを備えている。
【００２７】
つぎに、印刷ヘッド１２の構成について、図１を参照しつつ説明する。
【００２８】
キャリッジ３１には、図１に示すように、ブラック（Ｋ）のインクを収納したカートリッジ７１、シアン（Ｃ）のインクを収納したカートリッジ７２、マゼンタ（Ｍ）のインクを収納したカートリッジ７３、イエロー（Ｙ）のインクを収納したカートリッジ７４の４つのインクカートリッジ７１〜７４が着脱可能に搭載される。
【００２９】
キャリッジ３１の下部には印刷ヘッド１２が設けられている。印刷ヘッド１２には、インク吐出箇所としてのノズルが印刷用紙Ｐの搬送方向に列状に配置され、それぞれの色のインクに対応したノズル列を形成している。
【００３０】
また、キャリッジ３１の下部に設けられ、各インクに対応づけられたノズル列には、ノズル毎に、電歪素子の１つであって応答性に優れたピエゾ素子が配置されている。ピエゾ素子は、ノズルまでインクを導くインク通路を形成する部材に接する位置に設置されている。ピエゾ素子は、電圧の印加により結晶構造が歪み、極めて高速に電気−機械エネルギの変換を行う。
【００３１】
本実施の形態では、ピエゾ素子の両端に設けられた電極間に所定時間幅の電圧を印加することにより、ピエゾ素子が電圧の印加時間だけ伸張し、インク通路の一側壁を変形させる。この結果、インク通路の体積はピエゾ素子の伸張に応じて収縮し、この収縮分に相当するインクが、インク滴となって、ノズルの先端から高速に吐出される。このインク滴が印刷用紙Ｐに染み込むことにより、ドットが形成されて印刷が行われる。インク滴の大きさは、ピエゾ素子への電圧の印加方法によって変更することができる。これにより、例えば、大、中、小の３種類の異なる大きさのドットを形成することができる。
【００３２】
表示手段ともなる制御回路４０は、載置部であるクレードル（Ｃｒａｄｌｅ）４８に載置された撮像手段であるディジタルカメラ９０との間で情報を授受する機能を有している。また、ディジタルカメラ９０から取得した画像を印刷する際に、画像の解像度を変換したり、ＲＧＢ表色系データをＣＭＹＫ表色系データに変換したりする処理を実行する。
【００３３】
印刷用紙Ｐを搬送する副走査送り機構は、紙送りモータ２３の回転を紙送りローラ２６と用紙搬送ローラ（図示せず）とに伝達するギヤトレイン（図示せず）を備える。
【００３４】
また、キャリッジ３１を往復動させる主走査送り機構は、紙送りローラ２６の軸と並行に架設されキャリッジ３１を摺動可能に保持する摺動軸３４と、キャリッジモータ２４との間に無端の駆動ベルト３６を張設するプーリ３８と、キャリッジ３１の原点位置および印刷用紙の紙端を検出するための光学センサ３９とを備えている。なお、光学センサ３９は、印刷用紙Ｐがセットされた場合に、印刷用紙Ｐに対して投光する光源と、印刷用紙Ｐからの反射光を対応する画像信号に変換するフォトダイオードとによって構成されている。
【００３５】
図２に示すように、制御回路４０は、ＣＰＵ（Ｃｅｎｔｒａｌ  Ｐｒｏｃｅｓｓｉｎｇ  Ｕｎｉｔ）４１、プログラマブルＲＯＭ（Ｐ−ＲＯＭ（Ｒｅａｄ  Ｏｎｌｙ  Ｍｅｍｏｒｙ））４３、ＲＡＭ（Ｒａｎｄｏｍ  Ａｃｃｅｓｓ  Ｍｅｍｏｒｙ）４４、文字のドットマトリクスを記憶したキャラクタジェネレータ（ＣＧ（Ｃｈａｒａｃｔｅｒ  Ｇｅｎｅｒａｔｏｒ））４５、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）４６、および通信手段の一部である送受信回路４７を備えた算術論理演算回路として構成されている。なお、送受信回路４７は、クレードル４８に載置されたディジタルカメラ９０との間で情報を送受信するものであるが、他の機器との間でも情報の送受信が可能となるように構成してもよい。
【００３６】
この制御回路４０は、さらに、外部のモータ等とのインタフェース（Ｉ／Ｆ（Ｉｎｔｅｒｆａｃｅ））であるＩ／Ｆ専用回路５０、このＩ／Ｆ専用回路５０に接続され印刷ヘッドユニット６０を駆動してインクを吐出させるヘッド駆動回路５２、紙送りモータ２３、およびキャリッジモータ２４を駆動するモータ駆動回路５４、を備えている。
【００３７】
Ｉ／Ｆ専用回路５０は、入力手段の一部である操作部１３６、ヘッド駆動回路５２、モータ駆動回路５４、および光学センサ３９との間で情報を授受するためのインタフェース回路である。
【００３８】
図３は、図１に示すプリンタ２２の外観を示す図である。この図３に示すように、プリンタ２２は、筐体１３０、蓋部１３１、給紙部１３２、排紙部１３３、スロット１３５、操作部１３６、およびクレードル４８によって構成されている。
【００３９】
ここで、筐体１３０は、樹脂等によって構成され、その内部には、図１および図２に示すような機構部分および制御部分を内蔵している。蓋部１３１は、筐体１３０に設けられた回動軸（図示せず）を中心に、開閉方向に回動自在に係止されている。蓋部１３１を開くと、筐体１３０内部に収められている印刷ヘッドユニット６０等が見える。
【００４０】
給紙部１３２は、印刷用紙Ｐを貯留するストッカおよびストッカに貯留されている印刷用紙Ｐを一枚ずつ給紙する給紙機構を有している。排紙部１３３は、印刷が終了した印刷用紙Ｐを排出する排出口と、排出口から排出された印刷用紙Ｐを貯留する排紙トレイ等によって構成されている。この図３では、排紙部１３３は、排紙可能な状態ではないので、排紙可能とするには、排紙部１３３の排紙トレイを回動させて排出口を外部と連通させる必要がある。
【００４１】
クレードル４８は、蓋部１３１の一部に設けられた、凹形状を有する箱形の部材によって形成され、ディジタルカメラ９０の底面を下にして嵌合させることにより、ディジタルカメラ９０を固定するとともに、ディジタルカメラ９０との間で情報の授受が可能となる。なお、筐体１３０にクレードル４８を固定せず、プリンタ２２から離れた位置に設置するようにしたり、クレードル４８自体を設けず、他の接続手段に置き換えるようにしたりしてもよい。
【００４２】
図４は、図３に示すプリンタ２２を前面から眺めた場合の外観図である。この図４では、クレードル４８にディジタルカメラ９０が載置された状態を示している。クレードル４８にディジタルカメラ９０が載置されると、被写体または撮影した画像を表示するための表示部であるＬＣＤ９０ｇが前方を向くように構成されているので、ユーザは、ＬＣＤ９０ｇに表示された情報を閲覧することが可能になる。
【００４３】
図５は、クレードル４８の底面（ディジタルカメラ９０の底面が当接される面）に設けられたアンテナ４８ａ，４８ｂを示す図である。この図に示すように、クレードル４８の底面には、コイル状のアンテナ４８ａおよびアンテナ４８ｂが設けられている。アンテナ４８ａは、ディジタルカメラ９０との間で情報を授受する際に使用される。アンテナ４８ｂは、ディジタルカメラ９０が有する二次電池９０ｐ（図６を参照して後述する）を充電する際に、ディジタルカメラ９０に電力を供給するために使用される。
【００４４】
図６は、ディジタルカメラ９０の詳細な構成例を示す図である。この図に示すように、ディジタルカメラ９０は、ＣＰＵ９０ａ、画像処理部９０ｂ、光学系９０ｃ、ＣＣＤ（Ｃｈａｒｇｅ  Ｃｏｕｐｌｅｄ  Ｄｅｖｉｃｅ）９０ｄ、操作部９０ｅ、アクチュエータ９０ｆ、ＬＣＤ９０ｇ、ＲＡＭ９０ｈ、ＲＯＭ９０ｉ、フラッシュメモリ９０ｊ、電源部９０ｋ、充電部９０ｍ、送受信部９０ｎ、二次電池９０ｐ、バス９０ｑによって構成されている。
【００４５】
ここで、ＣＰＵ９０ａは、ＲＯＭ９０ｉに格納されたプログラムに応じて、装置の各部を制御するとともに、所定の演算処理を実行する。画像処理部９０ｂは、ＣＣＤ９０ｄから供給された画像信号をディジタル信号に変換するとともに、ガンマ処理等を施して出力する。
【００４６】
光学系９０ｃは、複数のレンズによって構成され、被写体の光画像をＣＣＤ９０ｄの受光面に集光する。ＣＣＤ９０ｄは、被写体の光画像を対応する画像信号に変換して出力する。
【００４７】
入力手段の一部である操作部９０ｅは、例えば、レリーズボタン、ズームボタン、および情報入力ボタンによって構成されており、被写体を撮像する場合および撮像した画像を参照したり、削除したりする場合に操作される。
【００４８】
アクチュエータ９０ｆは、光学系９０ｃの焦点調整を行ったり、レンズカバーを開閉したりするための駆動力を発生するものである。ＬＣＤ９０ｇは、被写体の画像、撮影された画像、およびプリンタ２２から供給された画像等の情報を表示する。
【００４９】
ＲＡＭ９０ｈは、ＣＰＵ９０ａが実行するプログラムやデータを一時的に格納するためのメモリである。ＲＯＭ９０ｉは、ＣＰＵ９０ａが実行するプログラムやデータを格納しているメモリである。
【００５０】
フラッシュメモリ９０ｊは、撮影された画像を記憶するためのメモリであり、ディジタルカメラ９０の本体に対して着脱可能に構成されている。電源部９０ｋは、二次電池９０ｐから供給された直流電圧を所定の電圧になるように昇圧または降圧した後、装置の各部に供給する。
【００５１】
充電部９０ｍは、アンテナ４８ｂを介してプリンタ２２から送信された交番磁界を整流して直流電力を生成し、二次電池９０ｐを充電するとともに、二次電池９０ｐの端子電圧を検出する。
【００５２】
通信手段の一部である送受信部９０ｎは、アンテナ４８ａとの間で、電波を媒介として情報を授受する。二次電池９０ｐは、例えば、ニッケル−カドミウム電池、ニッケル−水素電池、またはリチウム電池等によって構成され、直流電力を電源部９０ｋに供給するとともに、充電部９０ｍによって充電される。
【００５３】
図７は、プリンタ２２に実装されているプログラムおよびドライバの機能について説明する図である。なお、これらの機能は、プリンタ２２のハードウエアと、Ｐ−ＲＯＭ４３およびＥＥＰＲＯＭ４６に格納されているソフトウエアとが協働することにより実現される。この図に示すように、プリンタ２２には、基本制御モジュール２００、プリンタドライバモジュール２０１、画像処理モジュール２０２、ＤＳＣ（Ｄｉｇｉｔａｌ  Ｓｔｉｌｌ  Ｃａｍｅｒａ）制御モジュール２０３、およびＤＢ２０４が実装されており、これらが所定のオペレーティングシステム（ＯＳ）の下で動作している。
【００５４】
表示手段であり、処理手段である基本制御モジュール２００は、プリンタ２２の基本的な制御を行うためのモジュールである。プリンタドライバモジュール２０１は、ディジタルカメラ９０のフラッシュメモリ９０ｊに記憶されている画像を印刷する際に、解像度の変換処理およびハーフトーニング処理等を実行するためのモジュールである。画像処理モジュール２０２は、例えば、画像の補正処理等を実行するためのモジュールである。ＤＳＣ制御モジュール２０３は、ディジタルカメラを制御するためのモジュールである。ＤＢ２０４は、プリンタ２２およびディジタルカメラ９０を制御するためのプログラムやデータを格納するとともに、画像処理を行う際に対象となる画像を一時的に格納するためのデータベースとなるモジュールである。
【００５５】
つぎに、以上の実施の形態の動作について説明する。
【００５６】
図８は、以上の実施の形態の動作を説明するためのフローチャートである。このフローチャートは、ディジタルカメラ９０が、プリンタ２２のクレードル４８上に載置された場合に実行される処理である。このフローチャートが開始されると、以下のステップが実行される。
【００５７】
ステップＳ１０：基本制御モジュール２００は、送受信回路４７からの出力を参照して、クレードル４８にディジタルカメラ（ＤＳＣ）９０が載置されたか否かを検出する。
【００５８】
具体的には、送受信部９０ｎは常に微弱な電波を送信しており、当該電波の到達圏内にアンテナ４８ａ，４８ｂが位置した場合、すなわち、クレードル４８にディジタルカメラ９０が装着された場合には、送受信回路４７がアンテナ４８ａを介してこれを受信し、基本制御モジュール２００はディジタルカメラ９０が載置されたと判断する。
【００５９】
ステップＳ１１：基本制御モジュール２００は、ディジタルカメラ９０から、ディジタルカメラ９０の型番等を示す情報（例えば、ＩＤ（Ｉｄｅｎｔｉｆｉｃａｔｉｏｎ）情報）を取得する。具体的には、基本制御モジュール２００は、送受信回路４７およびアンテナ４８ａを介して、型番等の情報を送信するように要求するコマンドを、ディジタルカメラ９０の送受信部９０ｎを介してＣＰＵ９０ａに送信する。
ディジタルカメラ９０のＣＰＵ９０ａは、ＲＯＭ９０ｉに格納されている型番を示す情報を取得し、送受信部９０ｎを介して送信する。その結果、基本制御モジュール２００は、ディジタルカメラ９０から送信されてきた情報をアンテナ４８ａを介して送受信回路４７が受信し、型番に関する情報を得る。
【００６０】
ステップＳ１２：基本制御モジュール２００は、ステップＳ１１で取得したディジタルカメラ９０の型番に関する情報を参照して初期設定を行う。具体的には、基本制御モジュール２００は、ＤＢ２０４に予め格納されているディジタルカメラに関する情報から、ステップＳ１１で取得した型番に対応する情報を取得し、その情報に基づいて基本設定を行う。
【００６１】
図９は、ＤＢ２０４に予め格納されているディジタルカメラの情報の一例を示している。この例では、型番、属性、および内容が格納されている。例えば、型番「ＤＳＣ−００１」に対応する属性としての「画面サイズ」の内容としては「３００×２００」が格納されている。また、属性「使用コマンド種類」の内容としては「Ｃ００１」が、属性「二次電池容量」の内容としては「３０００ｍＡｈ」が格納されている。また、その他の型番「ＤＳＣ−００２」〜「ＤＳＣ−０９１」についても同様の情報が格納されている。
【００６２】
このような情報を参照し、例えば、ディジタルカメラ９０が図９に示す表の最初に掲げる「ＤＳＣ−００１」に該当する場合には、ディジタルカメラ９０との間で通信を行う際のコマンドの種類として「Ｃ００１」を設定する。なお、「Ｃ００１」に対応するコマンド群は、ＤＢ２０４に予め格納されているか、または、ディジタルカメラ９０を購入した際に添付されている記憶媒体（例えば、ＣＤ−ＲＯＭ）から読み込むことができるようにする。
【００６３】
ステップＳ１３：基本制御モジュール２００は、ステップＳ１２において設定されたコマンドであって、ビューアの切り換えを要求するコマンドを、送受信回路４７およびアンテナ４８ａを介してディジタルカメラ９０に送信する。
【００６４】
その結果、ディジタルカメラ９０では、送受信部９０ｎがこの情報を受信し、ＣＰＵ９０ａに引き渡す。ＣＰＵ９０ａは、受信したコマンドを解釈することにより、プリンタ２２がビューアの切り換えを要求していることを認識する。そして、ＣＰＵ９０ａは、ＬＣＤ９０ｇへ供給する画像信号として、送受信部９０ｎによって受信された「Ｃ００１」に対応するコマンド群中の、該当するコマンドに対応する画像信号を割り当てる。その結果、ＬＣＤ９０ｇには、プリンタ２２から送信された画像が表示可能な状態になる。なお、ビューアの切り換えが終了した場合には、ＣＰＵ９０ａは、切り換えが終了した旨を示す情報を、プリンタ２２に対して送信する。
【００６５】
ステップＳ１４：基本制御モジュール２００は、ビューアの切り換えが終了したか否かを判定し、終了した場合にはステップＳ１５に進み、それ以外の場合には同様の処理を繰り返す。具体的には、基本制御モジュール２００は、ディジタルカメラ９０からアンテナ４８ａを介して送信されてきた、ビューアの切り換えが終了した旨を示す情報を受信したか否かを判定し、受信した場合にはステップＳ１５に進み、それ以外の場合には同様の処理を繰り返す。
【００６６】
ステップＳ１５：基本制御モジュール２００は、初期画面をディジタルカメラ９０のＬＣＤ９０ｇに表示させる。具体的には、基本制御モジュール２００は、ＤＢ２０４から初期画面を表示するための情報を取得し、ステップＳ１２における初期設定に適合するように画面のドットサイズを調整した後、送受信回路４７およびアンテナ４８ａを介して、ディジタルカメラ９０に送信する。なお、ディジタルカメラ９０がフォントを有していない場合であって、文字情報を表示する必要がある際には、ＣＧ４５にテキスト情報を供給して対応する画像データを生成し、得られた画像データをディジタルカメラ９０に送信すればよい。
【００６７】
ディジタルカメラ９０では、受信した画像信号を、画像処理部９０ｂに供給し、画像処理部９０ｂが具備するＶＲＡＭ（Ｖｉｄｅｏ  ＲＡＭ）等に一旦格納した後、映像信号に変換してＬＣＤ９０ｇに供給する。その結果、ＬＣＤ９０ｇには、図１０の（Ａ）に示すような画像が表示されることになる。この表示例では、ＬＣＤ９０ｇには、タイトル２５１、メニュー項目２５２〜２５５、およびメッセージ２５６が表示されている。
【００６８】
ここで、タイトル２５１としては「初期画面」が表示されている。メニュー項目２５２としては、画像の印刷を実行する際に選択される「１．印刷実行」が表示されている。メニュー項目２５３としては、印刷画質等の設定を行う際に選択される「２．印刷設定」が表示されている。メニュー項目２５４としては、印刷用紙のサイズ等を設定する際に選択される「３．用紙設定」が表示されている。メニュー項目２５５としては、ディジタルカメラ９０の充電をしたり、ディジタルカメラ９０から画像を転送したりする場合に選択される「４．オプション」が表示されている。また、メッセージ２５６としては「メニューを選択してください。」が表示されている。
【００６９】
ステップＳ１６：基本制御モジュール２００は、動作モードを変更する処理を実行する。すなわち、ディジタルカメラ９０が設置された場合には、メニューをＬＣＤ９０ｇに表示するとともに、そのメニューに応じた処理を実行する必要があることから、基本制御モジュール２００はプリンタ２２の内部の動作モードを変更する処理を実行する。なお、動作モードの切り換えに応じて、操作部１３６のボタンの機能の少なくとも一部が変更される。しかし、操作部１３６のボタン機能中に、予めディジタルカメラ９０の操作メニュー機能を入れておき、ディジタルカメラ９０がクレードル４８に載置されていない場合には、その機能が動作しないようにすることで、ボタン機能は従前のままとなるようにしてもよい。
【００７０】
そして、ユーザは、ＬＣＤ９０ｇに表示されている、図１０の（Ａ）に示すような画面を参照することにより、メニューから所定の項目を選択して実行することができる。例えば、ユーザが、プリンタ２２の操作部１３６の所定のボタン（例えば、図示せぬカーソルボタン）を操作した場合には、基本制御モジュール２００が当該ボタンが操作されたことを検出し、当該ボタンに割り当てられた機能に応じた処理を実行する。例えば、図示せぬカーソルボタンが操作された場合には、図１０の（Ｂ）に示すように、メニュー項目２５２が反転表示され、この項目が選択の対象となっていることが示される。
【００７１】
このような状態で、操作部１３６から所定の決定ボタン（例えば、決定ボタン）が操作された場合には、基本制御モジュール２００は、「印刷実行」が選択されたことを認識し、ＤＢ２０４から所定のプログラムを読み出して実行することにより印刷処理を開始する。
【００７２】
印刷処理が開始されると、基本制御モジュール２００は、ディジタルカメラ９０のフラッシュメモリ９０ｊに格納されている画像データとそのファイル名を読み取る。そして、基本制御モジュール２００は、取得した画像データをＤＢ２０４に一時的に格納するとともに、画像データの画素を間引く処理を実行することにより、サムネイル（Ｔｈｕｍｂ  Ｎａｉｌ）画像を生成して、同じくＤＢ２０４に格納する。
【００７３】
つづいて、基本制御モジュール２００は、生成したサムネイル画像と、ファイル名とを一覧表示するための画像を生成し、送受信回路４７およびアンテナ４８ａを介してディジタルカメラ９０に送信する。
【００７４】
ディジタルカメラ９０では、送受信部９０ｎによってこの画像を受信し、ＬＣＤ９０ｇに表示する。その結果、ＬＣＤ９０ｇには、図１１の（Ａ）に示すような画面が表示されることになる。
【００７５】
この表示例では、タイトル２６０として「印刷実行」が画面の上部に表示されており、その下には、ファイル名が付されたサムネイル画像２６１〜２７０が表示されている。また、画面の最下部には、メッセージ２７１として「印刷する画像を選択してください。」が表示されている。
【００７６】
このような画面を参照しながら、ユーザが、プリンタ２２の操作部１３６の所定のボタン（例えば、図示せぬカーソルボタン）を操作すると、選択された画像が反転表示され、印刷の対象となる画像を選択することができる。例えば、サムネイル画像２６１が選択され、図示せぬ決定ボタンが操作されたとすると、基本制御モジュール２００は、サムネイル画像２６１が選択されたことを認識し、対応する画像データをＤＢ２０４から取得し、ディジタルカメラ９０に送信する。その結果、ディジタルカメラ９０のＬＣＤ９０ｇには、図１１の（Ｂ）に示すような画面が表示されることになる。
【００７７】
この表示例では、ＬＣＤ９０ｇには、選択されたサムネイル画像２６１に対応する画像２８０が拡大表示され、その下には、メッセージ２８１として「補正しますか？（ＹＥＳ、ＮＯ）」が表示されている。ユーザは、このような画面を参照し、選択した画像が正しいか否かを判定し、正しい場合には補正をするか否かを判断する。そして、補正をする場合にはメッセージ２８１に含まれている「ＹＥＳ」を選択し、そうでない場合には「ＮＯ」を選択する。
【００７８】
例えば、「ＹＥＳ」が選択された場合には、基本制御モジュール２００は、補正処理用の画面を表示するためのデータをＤＢ２０４から取得し、ディジタルカメラ９０に送信して表示させる。その結果、ディジタルカメラ９０のＬＣＤ９０ｇには、図１２の（Ａ）に示すような画面が表示されることになる。この表示例では、タイトル２９０として「補正設定」が表示されている。その下には、赤目補正をするための補正項目２９１として「１．赤目補正（する、しない）」が表示されている。その下には、逆光補正をするための補正項目２９２として「２．逆光補正（する、しない）」が表示されている。その下には、フォーカス補正をするための補正項目２９３として「３．フォーカス補正（ソフト、シャープ、しない）」が表示されている。さらにその下にはメッセージ２９４として「補正内容を設定してください。」が表示されている。
【００７９】
ユーザは、このような画面を参照し、補正項目２９１〜２９３の各補正内容を実行する場合には「する」等を選択し、実行しない場合には「しない」を選択する。その結果、基本制御モジュール２００は、選択された内容を取得し、取得した内容に応じて補正処理を実行する。例えば、図１２の（Ａ）の画面に示すような選択がなされた場合（赤目補正だけが選択され、それ以外の補正については選択されていない場合）には、赤目処理だけが実行される。なお、赤目補正とは、ストロボを使用して被写体を撮影した場合に、被写体の目が赤く写ることを補正することをいう。また、逆光補正とは、被写体の背後に光源が存在する状態で撮影した場合に、被写体が暗くなることを補正することをいう。また、フォーカス補正とは、画像の輪郭をぼかしたり（ソフト）、強調したり（シャープ）する補正処理をいう。
【００８０】
補正処理が完了すると、基本制御モジュール２００は、補正処理が施された画像データを、送受信回路４７およびアンテナ４８ａを介してディジタルカメラ９０に送信し、ＬＣＤ９０ｇに表示させる。その結果、ＬＣＤ９０ｇには、図１２の（Ｂ）に示すような画面が表示される。この表示例では、補正処理が施された画像３００と、メッセージ３０１として「印刷しますか（ＹＥＳ、ＮＯ）」が表示されている。
【００８１】
このような画面を参照し、ユーザが、補正後の画像を印刷するために、「ＹＥＳ」を選択したとすると、基本制御モジュール２００は、補正後の画像を印刷することが選択されたことを認識し、印刷内容設定用の画面を表示するための情報をＤＢ２０４から取得し、ディジタルカメラ９０に対して送信する。
【００８２】
その結果、ディジタルカメラ９０のＬＣＤ９０ｇには、図１３の（Ａ）に示すような画面が表示される。この例では、最上部にはタイトルとして「印刷実行」が表示されている。その下には、設定項目３１１として「１．印刷用紙（ＰＭ写真紙、ファイン紙、普通紙）」が表示されている。その下には、設定項目３１２として「２．印刷枚数（２枚）」が表示されている。その下には、設定項目３１３として「３．印刷モード（高画質、普通）」が表示されている。その下には、設定項目３１４として「４．印刷用紙サイズ（Ｌ判、Ｂ５、Ａ４、その他）」が表示されている。また、最下部にはメッセージ３１５として「印刷枚数等を入力してください。」が表示されている。
【００８３】
このような画面において、各設定項目に対して入力したり、選択したりすることにより、印刷用紙、印刷枚数、印刷モード、印刷用紙サイズを設定することができる。なお、印刷枚数の初期設定として１枚が設定されているので、他の枚数にしたいときのみその数値を変更することになる。この例では、印刷用紙としては「ファイン紙」が、印刷枚数としては「１枚」が、印刷モードとしては「高画質」が、印刷用紙サイズとしては「Ｌ判」が選択されている。
【００８４】
図１３の（Ａ）に示す画面において、各設定項目に対し、入力や選択がされた後、印刷を指示するボタンが操作されると、基本制御モジュール２００は、補正後の画像データをプリンタドライバモジュール２０１に供給する。プリンタドライバモジュール２０１は、補正後の画像データに対して、解像度変換処理、ハーフトーニング処理等を施した後、得られたラスタデータを印刷ヘッド１２に供給するとともに、紙送りデータに基づいて、紙送りモータ２３を駆動して印刷処理を開始する。
【００８５】
印刷処理が開始されると、キャリッジモータ２４が駆動されてキャリッジ３１が主走査方向に往復動作されながら、印刷ヘッド１２からインク滴が吐出されて印刷用紙Ｐにドットが形成されていく。そして、１つの走査線の印刷が終了すると、紙送りモータ２３によって副走査方向への走査が行われる。このような動作を繰り返すことにより、所望の画像が印刷されることになる。
【００８６】
つぎに、図１０の（Ａ）に示す画面において、メニュー項目２５５の「４．オプション」が選択された場合の動作について説明する。なお、図１０の（Ａ）において、メニュー項目２５３の「２．印刷設定」が選択された場合には、例えば、図１３の（Ａ）に示す設定項目３１２，３１３の設定その他が実行され、メニュー項目２５４の「３．用紙設定」が選択された場合には、例えば、図１３の（Ａ）に示す設定項目３１１，３１４の設定その他が実行される。
【００８７】
図１０の（Ａ）に示す画面において、メニュー項目２５５の「４．オプション」が選択されると、基本制御モジュール２００は、ＤＢ２０４からオプション用の画面を表示するための情報を取得し、ディジタルカメラ９０に対して送信する。その結果、ディジタルカメラ９０のＬＣＤ９０ｇには、図１３の（Ｂ）に示すような画面が表示される。
【００８８】
この表示例では、画面の最上部にはタイトル３２０として「オプション」が表示されている。その下には、メニュー項目３２１として「１．ディジタルカメラ充電」が表示されている。その下には、メニュー項目３２２として「２．画像転送」が表示されている。その下には、メニュー項目３２３として「３．インク残量確認」が表示されている。最下部には、メッセージ３２４として「メニューを選択してください。」が表示されている。
【００８９】
このような画面において、メニュー項目３２１が選択されたとすると、基本制御モジュール２００は、送受信回路４７およびアンテナ４８ａを介してまず、ディジタルカメラ９０に対して、二次電池９０ｐの残量に関する情報を送信するように要請する。その結果、ディジタルカメラ９０のＣＰＵ９０ａは、電源部９０ｋからの出力を参照して、二次電池９０ｐの残量を推定し、その推定結果を、送受信部９０ｎからアンテナ４８ａに送ることで、プリンタ２２に対して送信する。
【００９０】
プリンタ２２では、基本制御モジュール２００が、ＤＢ２０４に予め格納されているディジタルカメラ９０に関する情報（図９参照）から、二次電池９０ｐの容量に関する情報を取得し、電池の残量、電池の容量、および、充電電流から充電に必要な時間を計算する。例えば、電池の残量が６０％であり、電池の容量が２０００ｍＡｈであり、充電電流が４００ｍＡである場合には、充電に必要な時間は２時間（＝２０００×（１−０．６）／４００）となる。
【００９１】
つぎに、基本制御モジュール２００は、ＤＢ２０４から、ディジタルカメラ充電用の画面を表示するための情報を取得し、先に計算した充電に必要な時間（＝２時間）とともに、送受信回路４７およびアンテナ４８ａを介してディジタルカメラ９０に送信する。その結果、ＬＣＤ９０ｇには、図１４の（Ａ）に示すような画面が表示されることになる。
【００９２】
この表示例では、画面の最上部には、タイトル３３０として「ディジタルカメラの充電」が表示されている。その下には、メッセージ３３１として「ディジタルカメラの充電を開始します。電池の残量から推定すると、２時間程度かかると思われます。クレードルにディジタルカメラを装着したままの状態でお待ち下さい。」が表示されている。また、最下部には、充電の進行状況を示す充電状況バー３３２が表示されている。
【００９３】
このような画面が表示された後、基本制御モジュール２００は、送受信回路４７に対して、アンテナ４８ｂに対して所定の周波数の交流電圧を印加するように指示する。その結果、アンテナ４８ｂに対して所定の周波数の交流電圧が印加されるので、充電部９０ｍの図示せぬアンテナには電磁誘導によって、交流信号が現れる。充電部９０ｍは、当該交流信号を整流して直流に変換した後、二次電池９０ｐに供給して充電する。
【００９４】
電源部９０ｋは、二次電池９０ｐの電圧の変化を検出し、充電が完了した場合には、その旨をプリンタ２２に通知した後、充電を完了する。なお、このとき、ＬＣＤ９０ｇに対して充電が終了した旨を示すメッセージを表示するようにしてもよい。
【００９５】
つぎに、図１３の（Ｂ）に示す画面において、メニュー項目３２２としての「２．画像転送」が選択された場合の動作について説明する。
【００９６】
メニュー項目３２２としての「２．画像転送」が選択されると、基本制御モジュール２００は、画像の転送前の設定を行う画面を表示するための情報をディジタルカメラ９０に送信し、ＬＣＤ９０ｇに表示させる。その結果、図１４の（Ｂ）に示す画面が表示される。
【００９７】
この表示例では、画面の最上部にタイトル３４０として「画像の転送」が表示されている。その下には、メッセージ３４１として、「プリンタに画像を転送します。転送する画像を選択してください。また、転送後にディジタルカメラのメモリから画像を消去するか否かを選択してください。」が表示されている。画面の最下部には、メッセージ３４２として「転送後に画像を消去する（ＹＥＳ、ＮＯ）」が表示されている。
【００９８】
このような画面を参照しながら、ユーザがプリンタ２２の操作部１３６の所定のボタン（例えば、カーソルボタン）を操作して、「ＹＥＳ」または「ＮＯ」のいずれかを選択した後、決定を示す所定のボタン（例えば、決定ボタン）を操作した場合には、基本制御モジュール２００は、ディジタルカメラ９０のフラッシュメモリ９０ｊから画像データとファイル名を取得し、ＤＢ２０４に一時的に格納する。そして、基本制御モジュール２００は、画像データを一定の割合で間引きすることにより、サムネイル画像を生成し、ＤＢ２０４に一時的に格納する。
【００９９】
つぎに、基本制御モジュール２００は、生成したサムネイル画像とファイル名とを一覧表示する画面を生成し、ディジタルカメラ９０に送信してＬＣＤ９０ｇに表示させる。その結果、図１５の（Ａ）に示すような画面がＬＣＤ９０ｇに表示されることになる。
【０１００】
この表示例では、画面の最上部にはタイトル３５０として「画像転送」が表示されている。その下には、サムネイル画像とそのファイル名のペア３５１〜３６０が一覧表示されている。最下部には、メッセージ３６１として「転送する画像を選択してください。」が表示されている。このような画面を参照しながら、操作部１３６を操作することにより、所望の画像を選択した後、転送を行う要求を行うと、基本制御モジュール２００は、選択された画像データを、ＤＢ２０４の画像データの格納領域に格納する。そして、画像の転送が終了すると、図１４の（Ｂ）において転送後に画像を消去することが選択されている場合（「ＹＥＳ」が選択されている場合）には、フラッシュメモリ９０ｊから当該画像を消去する処理を実行する。
【０１０１】
なお、ＤＢ２０４に画像を格納する際には、画像データを格納するためのフォルダを新たに生成するとともに、フォルダの名前を入力するように要求し、選択された画像データを、当該フォルダに格納するようにしてもよい。
【０１０２】
また、図１５の（Ａ）に示す画面において、選択された画像データを拡大表示し、所望の画像データが選択されたか否かの確認を行うようにすることも可能である。また、画像データを複数同時に選択し、これらをまとめて転送できるようにしてもよい。
【０１０３】
つぎに、図１３の（Ｂ）に示す画面において、メニュー項目３２３としての「３．インク残量確認」が選択された場合の動作について説明する。
【０１０４】
メニュー項目３２３としての「３．インク残量確認」が選択されると、基本制御モジュール２００は、Ｐ−ＲＯＭ４３またはＥＥＲＰＯＭ４６に格納されているインク残量を示す情報を取得する。なお、インク残量を示す情報は、カートリッジ７１〜７４に設けられているＩＣチップ（図示せず）に格納されており、このＩＣチップに格納されている情報が定期的に読み込まれて、Ｐ−ＲＯＭ４３またはＥＥＲＰＯＭ４６の所定の領域に格納される。
【０１０５】
つぎに、基本制御モジュール２００は、インク残量を示す画面を表示するための画像を生成し、ディジタルカメラ９０に供給して、ＬＣＤ９０ｇに表示させる。その結果、ディジタルカメラ９０のＬＣＤ９０ｇには、図１５の（Ｂ）に示すような画面が表示される。
【０１０６】
この表示例では、画面の最上部にはタイトル３７０として「インク残量」が表示されている。その下には、各色のインクとその残量を示す画像３７１が表示されている。この例では、左からＫ，Ｃ，Ｍ，Ｙの順番にカートリッジを示す画像が表示されており、インクの残量に対応した領域にハッチングが施されている。このような画像を参照することにより、インク残量を確認することができる。
【０１０７】
以上に説明したように、本発明の実施の形態では、ディジタルカメラ９０に設けられたＬＣＤ９０ｇを、プリンタ２２の表示部として流用するようにしたので、プリンタ２２の本体に表示部を設けなくても、ＬＣＤ９０ｇを参照することにより、簡易に各種の設定等を行うことが可能になる。
【０１０８】
また、ディジタルカメラ９０のＬＣＤ９０ｇとしては、一般的に、フルカラーであり、かつ、高精細なものが使用されることが多いため、このようなＬＣＤ９０ｇをプリンタ２２の表示部として流用することにより、印刷しようとする画像を事前に確認（プレビュー）するとともに、各種補正が必要となる場合にはＬＣＤ９０ｇに表示させて、確認しながら補正処理を行うことが可能になる。
【０１０９】
また、以上の実施の形態では、プリンタ２２によって画像を印刷する前に、印刷用紙の種類、印刷枚数、印刷モード、印刷用紙の種類等をＬＣＤ９０ｇを参照しながら設定することができるので、スタンドアローン型のプリンタであっても、これらの設定を確実かつ迅速に行うことができる。
【０１１０】
また、以上の実施の形態では、プリンタ２２にディジタルカメラ９０を載置することにより、二次電池９０ｐを充電するようにした。このため、ディジタルカメラ９０用の充電器を準備し、充電器を商用電源に接続し、充電器とディジタルカメラ９０とを接続する、といった一連の作業が不要になるので、簡易に充電を行うことが可能になる。
【０１１１】
また、プリンタ２２側にカメラの種類毎に二次電池の性能を示す情報を予め格納しておき、この情報に基づいて充電を行うようにしたので、それぞれの二次電池に適切な充電時間により充電することができる。さらに、二次電池を充電する際には、満充電になったことを検出するための処理（例えば、デルタピーク検知処理）を行う必要があるが、このような処理を高い処理能力を有するＣＰＵ４１に分担させることにより、確実かつ正確に行うことができる。
【０１１２】
また、以上の実施の形態では、ディジタルカメラ９０のフラッシュメモリ９０ｊに格納されている画像データを、ＬＣＤ９０ｇに一覧表示させるとともに、必要な画像データについては、プリンタ２２に転送して保存することができるようにしたので、例えば、画像データを保存して、フラッシュメモリ９０ｊを空にする操作を簡単に行うことができる。
【０１１３】
また、以上の実施の形態では、インクの残量を、ディジタルカメラ９０のＬＣＤ９０ｇに画像として表示するようにしたので、インク残量を視覚的かつ直感的に把握することが可能になる。
【０１１４】
以上、本発明の一実施の形態について説明したが、本発明はこれ以外にも種々変形可能である。例えば、以上の実施の形態では、インクとしては、ＣＭＹＫの４色を用いるようにしたが、この４色に加え、淡色系のインク（ライトシアン（ＬＣ）、ライトマゼンタ（ＬＭ）、ダークイエロー（ＤＹ））のインクを用いるようにしたり、他の１色を加えて５色としたりしてもよい。
【０１１５】
また、以上の実施の形態では、ピエゾ素子を用いてインクを吐出するヘッドを備えたプリンタ２２を印刷装置として用いているが、吐出駆動素子としては、ピエゾ素子以外の種々のものを利用することが可能である。例えば、インク通路に配置したヒータに通電し、インク通路内に発生する気泡（バブル）によりインクを吐出するタイプの吐出駆動素子を備えたプリンタに適用することも可能である。また、熱昇華型のプリンタまたはレーザ式のプリンタについても適用可能である。さらに、プリンタ以外の印刷装置であって、ディジタル画像を利用して印刷を行う印刷装置にも本発明を適用できる。
【０１１６】
また、以上の実施の形態では、ディジタルカメラ９０と、プリンタ２２との間で無線通信によって情報および電力を授受するようにしたが、例えば、接続ケーブルによってこれらを接続することも可能である。また、アンテナ４８ｂを省略し、充電機能を持たないようにしたり、クレードルを２つ設け、１つにはアンテナ４８ｂを設けて充電専用とし、他方にはアンテナ４８ａを設けて画像等の情報伝達用としたりしてもよい。
【０１１７】
また、以上の実施の形態では、二次電池９０ｐを充電することがメニュー上から選択された場合に、二次電池９０ｐを充電するようにしたが、クレードル４８上にディジタルカメラ９０が載置された場合には、二次電池９０ｐの残量を自動的に検出し、例えば、満充電状態でない場合には、自動的に充電を開始するようにしてもよい。また、一般的に、ＬＣＤ９０ｇは電力の消費が大きいので、満充電状態になった後には、二次電池９０ｐの消費を防ぐために、二次電池９０ｐからの電力の供給を停止し、プリンタ２２からのみ電力を供給するようにしてもよい。
【０１１８】
また、以上の実施の形態では、プリンタ２２の蓋部１３１上にクレードル４８を設けるようにしたが、これ以外の場所（例えば、筐体１３０等）に設けることも可能である。また、クレードル４８を回転可能として、任意の方向にＬＣＤ９０ｇが向くようにしてもよい。さらに、クレードル４８を着脱可能とするとともに、複数のクレードルを準備しておき、ディジタルカメラ９０の種類に応じたクレードルを選択して装着できるようにしてもよい。また、表示部として、ＬＣＤ９０ｇを示したが、ＬＥＤ（Ｌｉｇｈｔ  Ｅｍｉｔｔｉｎｇ  Ｄｉｏｄｅ）、ＰＤＰ（Ｐｌａｓｍａ  Ｄｉｓｐｌａｙ  Ｐａｎｅｌ）エレクトロクロミック等他の表示素子を利用するものとしてもよい。
【０１１９】
さらに、以上の実施の形態では、撮像装置としてディジタルカメラ９０を例に挙げて説明を行ったが、これ以外にもビデオカメラ、カメラ付き携帯電話、カメラ付きＰＤＡ（Ｐｅｒｓｏｎａｌ  Ｄｉｇｉｔａｌ  Ａｓｓｉｓｔａｎｔ）に対しても本発明を適用することが可能である。要は、表示部と撮像機能を有する装置であればよい。また、撮像機能を有さず、画像の保存と機能と表示部を有するＰＤＡ付きの装置であってもよく、この場合、画像はカメラを接続したり、記憶媒体を利用して当該装置内に保存したりすることとなる。
【０１２０】
なお、以上の処理機能を記述したプログラムは、コンピュータで読み取り可能な記録媒体に記録しておくことができる。コンピュータで読み取り可能な記録媒体としては、磁気記録装置、光ディスク、光磁気記録媒体、半導体メモリなどがある。磁気記録装置には、ハードディスク装置（ＨＤＤ）、フレキシブルディスク（ＦＤ）、磁気テープなどがある。光ディスクには、ＤＶＤ、ＤＶＤ−ＲＡＭ（Ｒａｎｄｏｍ  Ａｃｃｅｓｓ  Ｍｅｍｏｒｙ）、ＣＤ−ＲＯＭ、ＣＤ−Ｒ（Ｒｅｃｏｒｄａｂｌｅ）／ＲＷ（ＲｅＷｒｉｔａｂｌｅ）などがある。光磁気記録媒体には、ＭＯなどがある。
【０１２１】
また、処理機能が記述されたプログラムを流通させる場合には、例えば、そのプログラムが記録されたＤＶＤ、ＣＤ−ＲＯＭなどの可搬型記録媒体が販売される。また、プログラムをサーバコンピュータの記憶装置に格納しておき、ネットワークを介して、サーバコンピュータから他のコンピュータにそのプログラムを転送することもできる。
【０１２２】
プログラムを実行するコンピュータは、例えば、可搬型記録媒体に記録されたプログラムもしくはサーバコンピュータから転送されたプログラムを、自己の記憶装置に格納する。そして、コンピュータは、自己の記憶装置からプログラムを読み取り、プログラムに従った処理を実行する。なお、コンピュータは、可搬型記録媒体から直接プログラムを読み取り、そのプログラムに従った処理を実行することもできる。また、コンピュータは、サーバコンピュータからプログラムが転送される毎に、逐次、受け取ったプログラムに従った処理を実行することもできる。
【０１２３】
【発明の効果】
本発明によれば、印刷しようとする画像情報等を、製造コストを上げることなく、印刷する前に確認することが可能となる。
【図面の簡単な説明】
【図１】本実施の形態に係る印刷装置の主要部分の概略構成を示す図である。
【図２】図１に示すプリンタの制御回路の詳細な構成例を示すブロック図である。
【図３】図１に示すプリンタを斜め上方向から眺めた場合の外観図である。
【図４】図１に示すプリンタを前方から眺めた場合の外観図である。
【図５】図１に示すプリンタが有するクレードルの底面に設けられたアンテナの構成例を示す図である。
【図６】図１に示すディジタルカメラの電気的な構成例を示すブロック図である。
【図７】図１に示すプリンタのハードウエアとソフトウエアとが協働することにより実現される処理機能を示す図である。
【図８】図１に示すディジタルカメラがクレードル上に載置された場合に開始される処理の一例を示すフローチャートである。
【図９】プリンタのＰ−ＲＯＭまたはＥＥＰＲＯＭに予め格納されているディジタルカメラの型番とその仕様を示す図である。
【図１０】ディジタルカメラのＬＣＤに表示される画面であって、（Ａ）は初期画面を示しており、（Ｂ）は（Ａ）において所定のメニュー項目が選択された場合の状態を示している。
【図１１】ディジタルカメラのＬＣＤに表示される画面であって、（Ａ）は図１０の（Ａ）において印刷実行が選択された場合に表示される画面を示しており、（Ｂ）は（Ａ）において所定の画像が選択された場合の状態を示している。
【図１２】ディジタルカメラのＬＣＤに表示される画面であって、（Ａ）は図１１の（Ｂ）において補正を行うことが選択された場合に表示される画面を示しており、（Ｂ）は（Ａ）において所定の補正が選択された後の画像の状態を示している。
【図１３】ディジタルカメラのＬＣＤに表示される画面であって、（Ａ）は図１２の（Ｂ）において印刷を行うことが選択された場合に表示される画面を示しており、（Ｂ）は図１０の（Ａ）において「４．オプション」が選択された場合に表示される画面を示している。
【図１４】ディジタルカメラのＬＣＤに表示される画面であって、（Ａ）は図１３の（Ｂ）において「１．ディジタルカメラ充電」が選択された場合に表示される画面を示しており、（Ｂ）は図１３の（Ｂ）において「２．画像転送」が選択された場合に表示される画面を示している。
【図１５】ディジタルカメラのＬＣＤに表示される画面であって、（Ａ）は図１４の（Ｂ）のつぎに表示される画面を示しており、（Ｂ）は図１３の（Ｂ）において「３．インク残量確認」が選択された場合に表示される画面を示している。
【符号の説明】
２２  プリンタ（印刷装置）
４０  制御回路（表示手段）
４７  送受信回路（通信手段の一部）
４８  クレードル（載置部）
９０  ディジタルカメラ（撮像装置）
９０ｅ  操作部（入力手段の一部）
９０ｇ  ＬＣＤ（表示部）
９０ｎ  送受信部（通信手段の一部）
１３６  操作部（入力手段の一部）
２００  基本制御モジュール（表示手段、処理手段）
【図１】
2005052994.tif 000003
【図２】
2005052994.tif 000004
【図３】
2005052994.tif 000005
【図４】
2005052994.tif 000006
【図５】
2005052994.tif 000007
【図６】
2005052994.tif 000008
【図７】
2005052994.tif 000009
【図８】
2005052994.tif 000010
【図９】
2005052994.tif 000011
【図１０】
2005052994.tif 000012
【図１１】
2005052994.tif 000013
【図１２】
2005052994.tif 000014
【図１３】
2005052994.tif 000015
【図１４】
2005052994.tif 000016
【図１５】
2005052994.tif 000017